(57)【要約】  ファイバ（１０）は、内部導体（１２）と、電気光学材料（１６）の容積（１４）と、外部導体（２０）とを含み、内部導体と外部導体との間に光導電体（１８）を備える。電気光学材料の容積は、電気泳動性の黒色及び白色の荷電粒子（２４，２６）のカプセルを含み、黒色粒子は白色粒子と反対の電荷を有する。ファイバの構成素子は可撓であるので、ファイバはフレキシブルディスプレイ装置における使用に適している。
2008512718.tif 000002
【特許請求の範囲】
【請求項１】
内部導体と、電気光学材料の容積と、外部導体と、前記内部導体と前記外部導体との間の光導電体とを含む、ファイバ。
【請求項２】
前記光導電体は、前記内部導体と前記電気光学材料の容積との間にある、請求項１に記載のファイバ。
【請求項３】
前記光導電体は、前記電気光学材料の容積と前記外部導体との間にある、請求項１に記載のファイバ。
【請求項４】
前記電気光学材料の容積は、電気誘導粒子を含む、請求項１、２、又は、３に記載のファイバ。
【請求項５】
前記電気泳動粒子は、カプセルの内側に収容される、請求項４に記載のファイバ。
【請求項６】
前記電気泳動粒子は、異なる電荷及び光学特性を有する、請求項４又は５に記載のファイバ。
【請求項７】
前記電気泳動粒子は、黒色及び白色に荷電された粒子であり、前記黒色粒子は、前記白色粒子と異なる電荷を有する、請求項６に記載のファイバ。
【請求項８】
前記外部導体は、実質的に光学的に透明である、上記請求項のうちいずれか１項に記載のファイバ。
【請求項９】
当該ファイバがフレキシブルディスプレイ装置における使用に適するよう、当該ファイバの構成素子は可撓である、上記請求項のうちいずれか１項に記載のファイバ。
【請求項１０】
前記内部導体は、金属、伝導性ポリマー、及び、伝導性材料で被覆されたポリイミドの１つ又はそれよりも多くを含む可撓なロッドを含む、上記請求項のうちいずれか１項に記載のファイバ。
【請求項１１】
当該ファイバは、実質的な円形の断面から成り、前記内部導体、前記光導電体、前記電気光学材料の容積、及び、前記外部導体は、実質的に同心である、上記請求項のうちいずれか１項に記載のファイバ。
【請求項１２】
前記内部導体及び前記外部導体は、電位の源に接続可能である、上記請求項のうちいずれか１項に記載のファイバ。
【請求項１３】
複数のファイバを含むディスプレイ装置であって、各ファイバは、内部導体と、電気光学材料の容積と、外部導体と、前記内部導体と前記外部導体との間の光導電体と、当該ファイバの前記導体に接続された電位の源とを含む、ディスプレイ装置。
【請求項１４】
各ファイバ内の前記光導電体は、前記内部導体と前記外部導体との間にある、請求項１３に記載のディスプレイ装置。
【請求項１５】
各ファイバ内の前記光導電体は、前記電気光学材料の容積と前記外部導体との間にある、請求項１３に記載のディスプレイ装置。
【請求項１６】
各ファイバ内の前記電気光学材料の容積は、電気泳動粒子を含む、請求項１３、１４、又は、１５に記載のディスプレイ装置。
【請求項１７】
各ファイバ内の前記電気泳動粒子は、カプセルの内側に収容される、請求項１６に記載のディスプレイ装置。
【請求項１８】
各ファイバ内の前記電気泳動粒子は、異なる電荷及び光学特性を有する、請求項１６又は１７に記載のディスプレイ装置。
【請求項１９】
各ファイバ内の電気電気泳動粒子は、黒色及び白色の荷電粒子であり、前記黒色粒子は前記白色粒子と反対の電荷を有する、請求項１８に記載のディスプレイ装置。
【請求項２０】
各ファイバの前記外部導体は、実質的に光学的に透明である、請求項１３乃至１９のうちいずれか１項に記載のディスプレイ装置。
【請求項２１】
当該ディスプレイ装置がフレキシブルディスプレイ装置であるよう、当該ディスプレイ装置の各ファイバの構成素子は可撓である、請求項１３乃至２０のうちいずれか１項に記載のディスプレイ装置。
【請求項２２】
各ファイバの前記内部導体は、金属、伝導性ポリマー、及び、伝導性材料で被覆されたポリイミドの１つ又はそれよりも多くを含む可撓なロッドを含む、請求項１３乃至２１のうちいずれか１項に記載のディスプレイ装置。
【請求項２３】
各ファイバは、実質的に円形の断面から成り、前記内部導体、前記光導電体、前記電気光学材料の容積、及び、前記外部導体は、実質的に同心である、請求項１３乃至２２のうちいずれか１項に記載のディスプレイ装置。
【請求項２４】
内部導体と外部導体とを収容するステップと、前記内部導体又は前記外部導体のいずれかを光導電体で被覆するステップと、前記内部導体と前記外部導体との間の容積を電気光学材料で充填するステップとを含む、ファイバを製造する方法。
【請求項２５】
内部導体を収容するステップと、前記内部導体を、光導電体、電気光学材料、及び、外部導体で連続的に被覆するステップとを含む、ファイバを製造する方法。
【請求項２６】
前記電気光学材料は、電気泳動粒子を含む、請求項２４又は２５に記載の方法。
【請求項２７】
前記電気光学材料は、電気泳動粒子のカプセルを含む、請求項２６に記載の方法。
【請求項２８】
前記電気泳動粒子は、異なる電荷及び光学特性を有する、請求項２６又は２７に記載の方法。
【請求項２９】
前記電気泳動粒子は、黒色及び白色の荷電粒子であり、前記黒色粒子は前記白色粒子と反対の電荷を有する、請求項２８に記載の方法。
【請求項３０】
前記外部導体は、実質的に光学的に透明である、請求項２４乃至２９のうちいずれか１項に記載の方法。
【請求項３１】
前記ファイバがフレキシブルディスプレイ装置における使用に適するよう、前記ファイバの構成素子は可撓である、請求項２４乃至３０のうちいずれか１項に記載の方法。
【請求項３２】
前記内部導体は、金属、伝導性ポリマー、及び、伝導性材料で被覆されたポリイミドの１つ又はそれよりも多くを含む、請求項２４乃至３１のうちいずれか１項に記載の方法。
【請求項３３】
前記ファイバは実質的に円形の断面から成り、前記内部導体、前記光導電体、前記電気光学材料の容積、及び、前記外部導体は、実質的に同心である、請求項２４乃至３２のうちいずれか１項に記載の方法。
【請求項３４】
前記内部導体及び前記外部導体は、電位の源に接続可能である、請求項２４乃至３３のうちいずれか１項に記載の方法。
【請求項３５】
各ファイバが、内部導体と、電気光学材料の容積と、外部導体と、前記内部導体と前記外部導体との間の光導電体とを含む、複数のファイバを収容するステップと、前記ファイバを織物に織り込むステップと、電位の源を前記ファイバの前記導体に接続するステップとを含む、ディスプレイ装置を製造する方法。
【請求項３６】
各ファイバ内の前記光導電体は、前記内部導体と前記電気光学材料の容積との間にある、請求項３５に記載の方法。
【請求項３７】
各ファイバ内の前記光導電体は、前記電気光学材料の容積と前記外部導体との間にある、請求項３５に記載の方法。
【請求項３８】
各ファイバ内の前記電気光学材料の容積は、電気泳動粒子を含む、請求項３５、３６、又は、３７に記載の方法。
【請求項３９】
各ファイバ内の前記電気泳動粒子は、カプセル内に収容される、請求項３８に記載の方法。
【請求項４０】
各ファイバ内の前記電気泳動粒子は、異なる電荷及び光学特性を有する、請求項３８又は３９に記載の方法。
【請求項４１】
各ファイバ内の前記電気泳動粒子は、黒色及び白色の荷電粒子であり、前記黒色粒子は前記白色粒子と反対の電荷を有する、請求項４０に記載の方法。
【請求項４２】
各ファイバの前記外部導体は、実質的に光学的に透明である、請求項３５乃至４１のうちいずれか１項に記載の方法。
【請求項４３】
前記ディスプレイ装置がフレキシブルディスプレイ装置であるよう、前記ディスプレイ装置の各ファイバ内の構成素子は可撓である、請求項３５乃至４２のうちいずれか１項に記載の方法。
【請求項４４】
各ファイバの前記内部導体は、金属、伝導性ポリマー、及び、伝導性材料で被覆されたポリイミドの１つ又はそれよりも多くを含む、請求項３５乃至４３のうちいずれか１項に記載の方法。
【請求項４５】
各ファイバは実質的に円形の断面から成り、前記内部導体、前記光導電体、前記電気光学材料の容積、及び、前記外部導体は、実質的に同心である、請求項３５乃至４４のうちいずれか１項に記載の方法。
【発明の詳細な説明】
【技術分野】
【０００１】
本発明は、フレキシブルディスプレイにおける使用のためのファイバ、そのようなファイバを製造する方法、フレキシブルディスプレイ装置、及び、ディスプレイ装置の製造方法に関する。
【背景技術】
【０００２】
広範な異なるディスプレイ装置が知られている。フレキシブルディスプレイが現在著しい注目を惹いている。これらのディスプレイは、しばしばフレキシブル基板上に構成されている限り可撓であり、一方向に湾曲され得る。多くの用途にとって、これは十分であるが、装着可能な電子機器の新規領域においては、衣類上のディスプレイが興味ある話題と考えられ、要求はより高い。装着可能なディスプレイに適切な技術を考慮するとき、以下の要求が関連する。ディスプレイが全方向において可撓であること、織物のように見えること、製造するのが安価であること、最後に、容易にアドレス可能であることが重要であり、画像を表示するために必要とされる衣類内の統合された電子機器及び／又は接続が最小であることを意味する。
【０００３】
米国特許第６，５４２，２８４号は、ディスプレイ装置及び製造方法を開示している。この特許中に開示されるディスプレイ装置は、マイクロカプセル型電気泳動ディスプレイ装置における使用のためであり、そのための製造方法が記載されており、マイクロカプセルは単層を形成するよう整列され得る。改良されたコントラストを備えるカラーディスプレイを創成し得るディスプレイ装置が提供され、そのための製造方法も提供されている。ディスプレイ装置は、基板、絶縁液体、その内部に配置される荷電カラー粒子、及び、基板上に形成される第一電極を含み、ディスプレイは、第一電極及び第二電極の間に印加される電圧によって第一電極又は第二電極に向かう荷電カラー粒子の移動を引き起こすことによって創成される。マイクロカプセルは、絶縁液体及び荷電カラー粒子を透明容器内に封入することによってそれぞれ形成され、マイクロカプセルは整列され、光透過樹脂から成るファイバ内に封入される。
【０００４】
しかしながら、このディスプレイ装置は、せいぜい一方向に可撓なだけであり、各画素は個別にアドレス指定されなければならないので、それぞれの特定の画素の出力を制御するのに多数の電子機器を必要とする。
【０００５】
国際公開ＷＯ２００４／０５５５７６号は、電気光学フィラメント又はファイバを開示している。電気光学フィラメント又はファイバは、偏光可能な材料の容積内に長手に延びる細長いコアを含み、外部電極部材が容積の上に位置する。コア及び外部部材は導電性を有し、偏光可能な材料中に半径方向電界を発生するよう、電位に接続可能である。外部部材は光学的に透過的及び／又は反射的である。偏光可能な材料は、前記電界又は前記電界の変化に晒されるときに、色変化、偏向の変化、又は、反射率の変化のような光学効果を示す。従来的な繊維処理機械類を使用して、フィラメント又はファイバを織物又は衣服に容易に織り込み得る。
【０００６】
この特許出願のファイバはフレキシブルディスプレイ装置における使用に適しているが、それぞれのファイバが単一色を有さなければならない、或いは、画素ディスプレイを創成するために複雑な電子機器がファイバの接合点で使用されなければならない限りにおいて、創成され得る装置は限定的である。
【発明の開示】
【発明が解決しようとする課題】
【０００７】
従って、従来技術を改良することが本発明の目的である。
【課題を解決するための手段】
【０００８】
本発明の第一の特徴によれば、内部導体と、電気光学材料の容積と、外部導体と、内部導体と外部導体との間の光導電体とを含むファイバが提供される。
【０００９】
本発明の第二の特徴によれば、各ファイバが、内部導体と、電気光学材料の容積と、外部導体と、内部導体と外部導体との間の光導電体と、ファイバの導体に接続される電位の源とを含む、複数のファイバを含むディスプレイ装置が提供される。
【００１０】
本発明の第三の特徴によれば、内部導体と外部導体とを収容するステップと、内部導体又は外部導体のいずれかを光導電体で被覆するステップと、内部導体と外部導体との間の容積を電気光学材料で充填するステップとを含む、ファイバを製造する方法が提供される。
【００１１】
本発明の第四の特徴によれば、内部導体を収容するステップと、内部導体を、光導電体、電気光学材料、及び、外部導体で連続的に被覆するステップとを含む、ファイバを製造する方法が提供される。
【００１２】
本発明の第五の特徴によれば、各ファイバが、内部導体と、電気光学材料の容積と、外部導体と、内部導体と外部導体との間の光導電体とを含む、複数のファイバを収容するステップと、ファイバを織物に織り込むステップと、電位の源をファイバの導体に接続するステップとを含む、ディスプレイ装置を製造する方法が提供される。
【００１３】
本発明の故に、二次元に可撓なディスプレイ装置を提供することが可能である。それは構造が簡単であり、多数の電気接続を有さないが、有効に画素化されるディスプレイを提供し得る。各ファイバ内の光導電体が光に晒されると、電位差が電気光学材料の容積に亘って創成される。電気光学材料は、その特性に従って外観を変更し、フレキシブルディスプレイを創成するために、ファイバのこの構造が利用され得る。
【００１４】
有利に、光導電体は内部導体と電気光学材料の容積との間にあるか、或いは、それは電気光学材料の容積と外部導体との間にある。典型的には、それは内部導体上に被覆されるが、ファイバ内の光導電体の位置は設計上の選択である。
【００１５】
好ましくは、電気光学材料の容積は、電気泳動粒子のカプセルであり、電気泳動粒子は、黒色及び白色の荷電粒子であり、黒色粒子は白色粒子と反対の電荷を有する。有利に、内部導体及び外部導体は、電位の源に接続可能である。上述のように、ファイバの任意の部分にある光導電体が光に晒されるとき、電気泳動粒子の上に電位差が生み出され、例えば、荷電黒色粒子をファイバの外側に移動する。理想的には、外部導体は実質的に光学的に透明であるので、黒色電気泳動粒子はファイバ内で可視的である。従って、光がディスプレイ装置に向けられる全ての地点で、黒色電気泳動粒子はファイバの表面に移動され、画像を創成する。
【００１６】
有利に、ファイバがフレキシブルディスプレイ装置における使用に適するよう、ファイバの構成素子は可撓であり、ファイバは実質的に円形の断面から成り、内部導体、光導電体、電気光学材料の容積、及び、外部導体は、実質的に同心である。
【００１７】
好ましくは、内部導体は、金属、伝導性ポリマー、及び、伝導性材料で被覆されたポリイミドの１つ又はそれよりも多くを含む可撓なロッドを含む。
【００１８】
添付の図面を参照して、例証によってのみ、本発明の実施態様を今や記載する。
【発明を実施するための最良の形態】
【００１９】
図１のファイバ１０は、内部導体１２と、電気光学材料１６の容積１４と、外部導体２０とを含み、内部導体１２と外部導体２０との間に光導電体１８を備える。ファイバ１０はその長さに沿って均一な構造から成り、ファイバ１０は実質的に円形の断面を有し、内部導体１２、光導電体１８、電気光学材料１６の容積１４、及び、外部導体２０は実質的に同心である。内部導体１２及び外部導体２０は、電位の源に接続可能である。
【００２０】
ファイバ１０のそれぞれの個々の構成素子は可撓であるので、ファイバ１０は、図２に概略的に示されるフレキシブルディスプレイ装置２２における使用に適している。ファイバ１０は、織物の布切れが作成されるのと同様に、ディスプレ装置２２に織り込まれるのに適している。
【００２１】
光導電体１８は、光に晒されないときに、内部導体１２の周りで絶縁体として作用する。光が光導電体１８の任意の部分に向けられるとき、その電気特性は変化し、その抵抗は降下するので、それは絶縁体であるよりもむしろ導体として作用する。この結果、電気光学材料１６を包含する容積１４の周りに電界が生み出される。
【００２２】
電気光学的な材料は、その内部の光学特性変化が電気状態に依存する材料である。図１に示されるファイバ１０の好適実施態様において、電気光学材料１６の容積１４は、電気泳動粒子２４及び２６のカプセル１６を含む。電気泳動粒子２４及び２６は、黒色及び白色の荷電粒子であり、黒色粒子２６は白色粒子２４と反対に荷電されている。
【００２３】
カプセル１６内の荷電粒子２４及び２６は、電界がそれらの上に作用するときに、カプセル１６内を流れる。上記に議論されたように、光が光導電体１８上に向けられるとき、電界がカプセル１６を包含する容積１４に亘って存在する。図１において、黒色粒子２６は、それらがファイバ１０の中止に向かうよう位置付けられている。
【００２４】
カプセル１６（又はカプセル１６間の容積１４）は、光導電体１８を照明するために、幾らかの光の透過を許容する。もしアドレス指定光が単色であるならば、カプセル１６はこの波長を透過するが、他の波長のためには不透明であるのが理想的である。これは周囲光によるディスプレイ装置の作動における干渉を防止するのも助ける。
【００２５】
黒色粒子が負電荷を有し、且つ、外部導体２０が正電位にあるすると推定されるならば、光導電体１８が絶縁するよりも導電するとき、生み出される電界は、黒色粒子２６上に作用し、それらを外部導体２０に向かって引き付ける。同時に、正負荷される白色粒子は、内部導体１２である負極に引き付けられる。外部導体２０は実質的に光学的に透明であるので、ファイバ１０の外観は変化する。何故ならば、黒色粒子２６が今や見えるからである。光源が光導電体１８にもはや向けられていないとき、それは内部導体を絶縁するのに戻り、容積１４に亘って電界はもはや存在しない。電界が存在しないとき、電気泳動粒子２４及び２６は移動しない。これはファイバの光学特性が簡単且つ効率的な方法で変化されることを可能にし、ディスプレイ装置２２の外観における変化を維持するのに如何なる連続的な電位も必要としない。
【００２６】
また、ディスプレイ装置は、図２に概略的に示されるように、最小の接続だけを有する。ファイバ２８の織物は、接続部３０を介して電位の源３２に接続される。行列ファイバ内の全ての内部導体１２は、例えば３０ボルトの直流電圧に接続され、全ての外部導体２０は、電位の源３２の０ボルト側に接続される。
【００２７】
典型的には、各ファイバ１０内の内部導体１２は、金属、伝導性ポリマ、及び、伝導性材料で被覆されたポリイミドの１つ又はそれよりも多くを含む可撓ロッドを含む。最も簡単な実施態様において、内部導体１２は導線であり、４μｍの厚さの有機光導電体１８がその上に設けられる。
【００２８】
図３乃至５は、衣服３４に組み込まれたフレキシブルディスプレイ装置２２の実施例を示している。ディスプレイ装置２２は、ちょうどシャツの正面上に設けられるポケットのように、衣服２２上に示され得る。
【００２９】
図３において、フレキシブルディスプレイ装置２２は、装置２２を作り上げる全てのファイバ１０が、各ファイバ１０の外側に向かって白色電気泳動粒子２４を有するような状態にあり、その結果、全て白色のディスプレイが図３中に示されている。衣服３４の装着者は、典型的な放射ディスプレイを備える携帯電話３６も有する。電話３６のディスプレイ３８は、現在、ハート形の絵文字を示している。明瞭性のために、ディスプレイ３８の残部は黒色で示されているが、作動ディスプレイ３８において、ハート絵文字４０は光を放射し、ディスプレイ３８の残部が如何なる光も放射しないことも理解されるべきである。
【００３０】
もし使用者がディスプレイ装置２２上に画像を生成することを望むならば、彼らは、例えば、図４に示されるように、携帯電話３６をディスプレイ装置２２に一致して保持し得る。上述のように、単一ファイバ１０を参照すると、電話３６によって放射される光は、個々のファイバ１０の内部導体１２の光導電体１８を伝導的にし、それによって、電気泳動粒子に亘って電界を生み出す。これは、電気泳動粒子が電界内で移動するときに、ディスプレイ２２内に局所化された変化を生み出す。
【００３１】
使用者が携帯電話３６をディスプレイ装置２２から取り外すや否や、衣服３４は図５に示されるように見える。フレキシブルディスプレイ装置２２は、携帯電話３６のディスプレイ３８上のハート絵文字４０に対応するハート絵文字の画像４２を今や表示している。ディスプレイ装置２２上に絵文字４２を表示しながら、電力は使用されない。何故ならば、画像は電気泳動材料中の黒色粒子によって創成されるからである。
【００３２】
ディスプレイ装置の代替的な実施態様において、携帯電話３６は、ディスプレイ装置２２のための電力を提供するためにも使用され得る。携帯電話３６は、２つの簡単な点接触によって、或いは、容量性又は誘導性手段を介して、ディスプレイ装置２２に接続され得る。これはディスプレイ装置２２及び衣服３４の構造をさらに単純化する。
【００３３】
もし使用者がディスプレイ装置２２上の画像の表示を変更することを望むならば、彼らはディスプレイ装置２２内の電位の源の極性を切り換えることが必要であり、それは装置２２上の簡単な押しスイッチ（図示せず）によってもたらされ得る。極性が切り換えられるや否や、使用者は、携帯電話３６のような光源を、現在画像を表示しているディスプレイ２２のそれらの部分に移動されなければならない。これは再び個々のファイバ１０の内部導体１２の光導電体１８を導電的にし、それによって、電気泳動粒子に亘る電界を生み出すが、画像を創成するときに使用されたものと反対の極性を備える。これは白色電気泳動粒子を電界内に移動させ、装置２２上に均一に白色のディスプレイを創成する。使用者がディスプレイの既に白色の部分を照らすか否かは問題ではない。何故ならば、ディスプレイ装置のそれらの部分内に生み出される電界は、白色電気泳動粒子に何らの降下も有さないからである。何故ならば、それらはディスプレイ２２の個々のファイバの表面に既にあるからである。
【００３４】
ディスプレイ装置をリセットする代替的な方法が可能である。これは、ディスプレイに書き込むときに使用される直流電圧というよりもむしろ、四角ブロック電圧を反復的に印加することによって達成される。４μｍの厚さの光導電体と４０μｍの厚さの電気泳動カプセルとの間の容量不均衡の故に、このようにして画像をリセットし得る。
【００３５】
このようにして、使用者は、衣服又は装飾品のような用途における使用のために、画像をフレキシブルディスプレイに転送することができ、ディスプレイ２２上に画像を維持するために電力は不要である。画像がディスプレイ２２に転送されるとき、１秒もかからない短時間に亘って少量の電力が使用される
【００３６】
図６ａは、ファイバ１０を製造する方法を要約するフローチャートを示している。本方法は、内部導体１２及び外部導体２０を収容するステップ６１０と、内部導体１２又は外部導体２０のいずれかを光導電体１８で被覆するステップ６１２と、内部導体１２と外部導体２０との間の容積を電気光学材料１６で充填するステップ６１４とを含む。
【００３７】
図６ｂは、ファイバ１０を製造する代替的な方法を示している。この方法は、内部導体１２を収容するステップ６１６と、光導電体１８、電気光学材料１６、及び、外部導体２０で内部導体１２を連続的に被覆するステップ６１８とを含む。
【００３８】
同様に、図７は、ディスプレイ装置２２を製造する方法を要約するフローチャートを示しており、複数のファイバ１０を収容するステップ７１０を含み、各ファイバ１０は、内部導体１２と、電気光学材料１６の容積１４と、外部導体と、内部導体１２と外部導体２０との間の光導電体１８とを含む。本方法における第二段階は、ファイバ１０を織物に織り込み７１２、然る後、電位の源をファイバ１０の導体に接続する７１４ことである。最終段階７１６は、最終ディスプレイを衣服３４に組み込むことである。
【００３９】
従って、織物に織り込み得る光感受的電気泳動ファイバを創成することが可能である。材料は扱われていないが、それは織物として見えるが、必要であれば、それが画像を表示するために使用され得るよう、ファイバの長さに沿って階調を変調し得る。既知の技法と対称的に、ファイバは自蔵式であり、他のファイバとの良好な電気接触に依存せず、ディスプレイ地域全体のために２つの電気接続を必要とするだけであり、結果として得られるディスプレイは、内部導体と外部導体との間の短絡に感受的ではない。
【００４０】
空間変調された光を供給し得る別個の装置、例えば、ポリＬＥＤパッシブマトリックスディスプレイが必要とされる。これはディスプレイの全地域を平行にアドレス指定し、よって、アドレス時間は最大でも１秒の０．５である。
【００４１】
内部導体ファイバの考えられる塗膜は、４μｍの厚さの有機光導電体の厚い層である。材料は、例えば、ポリ（９  ビニルカルバゾール）、ＰＶＫであり、感光ドーパント、例えば、トリニトロフルオレノンであり得る。これは、光導電体の溶剤を通じて導線を引くことによって簡単に達成され得る。次に、ファイバは中空外部伝導性ファイバ内に封入される。画像を表示し得るが、全ての他の点において通常の衣類の感触を有する衣服を作るために、これらのファイバを今や使用し得る。
【００４２】
内部素子を例えば３０Ｖの直流電圧に単純に接続し、外部電極を接地することによって、ファイバから織られる織物を光学的にアドレス指定し得る。光導電体は、光に晒されないときに絶縁体であるので、電圧はこの層の上で降下される。電気泳動カプセル上での電圧降下はない。ファイバの部分を照明した後、光導電体抵抗は減少し、カプセルに亘る大きな降下があるよう、電圧分割は変更される。これはそれらを局所的に切り換えさせる。
【００４３】
画像をディスプレイ装置に移転する様々な方法がある。これらは、シャドーマスク（即ち、プリントされたオーバーヘッドシート）を通じて織物を光に晒すこと、織物をディスプレイに対して保持し、或いは、レーザ辺又は走査レーザを用いて織物上に書き込むことを含む。人々が新しいロゴを彼らの携帯電話上にダウンロードし、それを単純に彼らの衣類に対して保持することによって、それらをディスプレイに複写し得ることは想像し得る。
【００４４】
ハンドヘルド装置を用いて大きな地域をアドレス指定するための他の選択肢が存在する。ディスプレイは、電圧パルスを用いてリセット或いは消去されることもでき、それが書き込まれた後に、それは何の保持電力も必要としない。ディスプレイは、電圧が印加されるときに感光的であるに過ぎず、従って、それがアドレス指定された後に、外部太陽光内でフェードインするという問題もない。
【００４５】
電気光学材料を電気泳動カプセルで作り上げ得ることが好適実施態様において例証されたが、他の材料が可能である。例えば、カプセルを使用する代わりに、白色粒子が存在する染色オイルを使用することも可能である。白色粒子を内部電極に引き付けることによって、ファイバはオイルの色を表示するが、外部電極に引き付けられるとき、それは白色である。代替的に、電気光学効果を表示する他の材料を、キャビティ、例えば、ＰＤＬＣ（ポリマー分散液晶）及びジェルの種類内に配置し得る。電気光学材料は、液晶を取り囲む偏光子も含み得る。
【図面の簡単な説明】
【００４６】
【図１】フレキシブルディスプレイ装置における使用のためのファイバを通じて示す断面図である。
【図２】フレキシブルディスプレイ装置を示す概略図である。
【図３】携帯電話とフレキシブルディスプレイ装置とを組み込んだ衣服を示す概略図である。
【図４】図５に類似する、衣服のフレキシブルディスプレイ装置と接触する携帯電話を示す概略図である。
【図５】図５に類似する、携帯電話とフレキシブルディスプレイ装置を組み込んだ衣服とを示す概略図である。
【図６ａ】ファイバの製造方法を示すフロー図である。
【図６ｂ】ファイバの代替的な製造方法を示すフロー図である。
【図７】フレキシブルディスプレイ装置の製造方法を示すフロー図である。
【図１】
2008512718.tif 000003
【図２】
2008512718.tif 000004
【図３】
2008512718.tif 000005
【図４】
2008512718.tif 000006
【図５】
2008512718.tif 000007
【図６ａ】
2008512718.tif 000008
【図６ｂ】
2008512718.tif 000009
【図７】
2008512718.tif 000010
【国際調査報告】
2008512718.tif 000011
2008512718.tif 000012
2008512718.tif 000013